(57)【要約】【課題】  製函の際における成形性を向上させた包装箱を提供する。【解決手段】  多角筒状の胴部２と胴部２の端部開口を閉塞する閉塞部３とを備える紙製の包装箱１である。胴部２は、対向する一対の第１側板２１と、第１側板２１が対向する方向と交差する方向で対向する第２側板２２と、第１側板２１と第２側板２２とを接続する連結側板２３を有し、閉塞部３は、少なくとも第１側板２１から第１折目線dを介して連設された一対の外フラップ３１を含んで構成される。連結側板２３は、閉塞部側の端部から隣接する第１折目線dを越えて延設され、外フラップ３１が包装箱の内方に向かって水平方向に折り曲げられたときに、外フラップ３１の側縁が突き当てられる延出部５０を有する。【選択図】図１
2020172279.tif 000002
【特許請求の範囲】
【請求項１】
多角筒状の胴部と該胴部の端部開口を閉塞する閉塞部とを備える紙製の包装箱であって、
前記胴部は、対向する一対の第１側板と、該第１側板が対向する方向と交差する方向で対向する第２側板と、該第１側板と該第２側板とを接続する連結側板を有し、
前記閉塞部は、少なくとも前記第１側板から第１折目線を介して連設された一対の外フラップを含んで構成され、
前記連結側板は、閉塞部側の端部から隣接する前記第１折目線を越えて延設され、前記外フラップが前記包装箱の内方に向かって水平方向に折り曲げられたときに、該外フラップの側縁が突き当てられる延出部を有することを特徴とする包装箱。
【請求項２】
角筒形状の胴部と該胴部の端部開口を閉塞する閉塞部とを備える紙製の包装箱であって、
前記胴部は、対向する一対の第１側板と、該第１側板が対向する方向と交差する方向で対向する第２側板とを有し、
前記閉塞部は、前記第１側板から第１折目線を介して連設された一対の外フラップと、前記第２側板から第２折目線を介して連設された一対の内フラップとを含んで構成され、
前記第２側板には、前記内フラップとの境界に、両端が前記第２折目線に接続されるとともに前記内フラップ側に向かって屈曲また湾曲した切れ目によって形成され、前記第２側体が前記包装箱の内方に向かって水平方向に折り曲げられたときに、該切れ目から遊離して該第２側板の端部から延出する凸部がそれぞれ設けられ、
前記外フラップには、その側縁の一部を切り欠くことで形成され、該外フラップが前記包装箱の内方に向かって水平方向に折り曲げられたときに、前記凸部と嵌合する凹部がそれぞれ設けられていることを特徴とする包装箱。
【請求項３】
請求項２に記載の包装箱であって、
前記凹部は、両外フラップの先端隅部をそれぞれ切欠き、該両外フラップを前記包装箱の内方に向かって水平方向に折り曲げてその先端縁同士を突き合わせることで形成されることを特徴とする包装箱。
【請求項４】
八角形状の胴部と該胴部の端部開口を閉塞する閉塞部とを備える紙製の包装箱であって、
前記胴部は、対向する一対の第１側板と、該第１側板が対向する方向と交差する方向で対向する第２側板と、該第１側板と該第２側板とを接続する４枚の連結側板を有し、
前記天部または前記底部は、前記第１側板から第１折目線を介して連設された一対の外フラップと、前記第２側板から第２折目線を介して連設された一対の内フラップとにより構成され、
前記連結側板は、その端部から隣接する前記第１折目線を越えて延設され、前記外フラップが前記包装箱の内方に向かって水平方向に折り曲げられたときに、該外フラップの側縁が突き当てられる延出部を有し、
前記第２側板には、前記内フラップとの境界に、両端が前記第２折目線に接続されるとともに前記内フラップ側に向かって屈曲また湾曲した切れ目によって形成され、前記第２側体が前記包装箱の内方に向かって水平方向に折り曲げられたときに、該切れ目から遊離して該第２側板の端部から延出する凸部が設けられ、
前記外フラップには、その側縁の一部を切り欠くことで形成され、該外フラップが前記包装箱の内方に向かって水平方向に折り曲げられたときに、前記凸部と嵌合する凹部が設けられていることを特徴とする包装箱。
【発明の詳細な説明】
【技術分野】
【０００１】
本発明は、八角形状の胴部を有する包装箱に関する。
【背景技術】
【０００２】
従来、八角筒状の胴部と、該胴部の上下端の開口をそれぞれ閉塞する天部及び底部とを備える紙製の包装箱が知られている（特許文献１参照）。
【０００３】
この包装箱では、前記胴部は、対向する一対の第１側板と、該第１側板が対向する方向と交差する方向で対向する第２側板と、該第１側板と該第２側板とを接続する４枚の連結側板を有し、天部及び底部は、前記第１側板から第１折目線を介して連設された一対の六角形状の外フラップと、前記第２側板から第２折目線を介して連設された一対の四角形状の内フラップとから構成されている。
【０００４】
これにより、この包装箱は、内フラップを前記包装箱の内方に向かって水平方向に折り曲げ、外フラップを内フラップに重合するように水平方向に折り曲げて両先端縁を突き合わせることで、胴部の上下端の開口を閉塞することができる。
【先行技術文献】
【特許文献】
【０００５】
【特許文献１】登録実用新案第３２１１２６９号公報
【発明の概要】
【発明が解決しようとする課題】
【０００６】
しかしながら、特許文献１の包装箱は、折り曲げられた内フラップの側縁が第１側板の内表面から離間しており、該第１側板によって支持できないため、製函する際に、胴部を正八角形に維持し、両外フラップの先端縁を突き合わせて位置決めすることが難しいという不都合があった。
【０００７】
上記の点に鑑み、本発明は、製函の際における成形性を向上させた包装箱を提供することを目的とする。
【課題を解決するための手段】
【０００８】
かかる目的を達成するために、本発明の第１の包装箱は、多角筒状の胴部と該胴部の端部開口を閉塞する閉塞部とを備える紙製の包装箱であって、前記胴部は、対向する一対の第１側板と、該第１側板が対向する方向と交差する方向で対向する第２側板と、該第１側板と該第２側板とを接続する連結側板を有し、前記閉塞部は、少なくとも前記第１側板から第１折目線を介して連設された一対の外フラップを含んで構成され、前記連結側板は、閉塞部側の端部から隣接する前記第１折目線を越えて延設され、前記外フラップが前記包装箱の内方に向かって水平方向に折り曲げられたときに、該外フラップの側縁が突き当てられる延出部を有することを特徴とする。
【０００９】
本発明の第１の包装箱によれば、連結側板の端部に設けられた延出部の内表面に第１側板に連設された外フラップの側縁を突き当てて位置決めをしながら製函できるため、成形性を向上させることができる。
【００１０】
本発明の第２の包装箱は、角筒形状の胴部と該胴部の端部開口を閉塞する閉塞部とを備える紙製の包装箱であって、前記胴部は、対向する一対の第１側板と、該第１側板が対向する方向と交差する方向で対向する第２側板とを有し、前記閉塞部は、前記第１側板から第１折目線を介して連設された一対の外フラップと、前記第２側板から第２折目線を介して連設された一対の内フラップとを含んで構成され、前記第２側板には、前記内フラップとの境界に、両端が前記第２折目線に接続されるとともに前記内フラップ側に向かって屈曲また湾曲した切れ目によって形成され、前記第２側体が前記包装箱の内方に向かって水平方向に折り曲げられたときに、該切れ目から遊離して該第２側板の端部から延出する凸部がそれぞれ設けられ、前記外フラップには、その側縁の一部を切り欠くことで形成され、該外フラップが前記包装箱の内方に向かって水平方向に折り曲げられたときに、前記凸部と嵌合する凹部がそれぞれ設けられていることを特徴とする。
【００１１】
本発明の第２の包装箱によれば、第２側板の端縁から延出された凸部に第１側板に連設された外フラップの凹部が嵌合して、外フラップの位置決めができるため、製函の際の成形性を向上させることができる。
【００１２】
また、第２の包装箱において、前記凹部は、両外フラップの先端隅部をそれぞれ切欠き、該両外フラップを前記包装箱の内方に向かって水平方向に折り曲げてその先端縁同士を突き合わせることで形成されることを特徴とする。
【００１３】
この構成を備える第２の包装箱によれば、一対の外フラップを、両先端縁を突き合わせた状態で凸部に嵌合させ支持することができるため、さらに、成形性を向上させることができる。
【００１４】
本発明の第３の包装箱は、八角形状の胴部と該胴部の端部開口を閉塞する閉塞部とを備える紙製の包装箱であって、前記胴部は、対向する一対の第１側板と、該第１側板が対向する方向と交差する方向で対向する第２側板と、該第１側板と該第２側板とを接続する４枚の連結側板を有し、前記天部または前記底部は、前記第１側板から第１折目線を介して連設された一対の外フラップと、前記第２側板から第２折目線を介して連設された一対の内フラップとにより構成され、前記連結側板は、その端部から隣接する前記第１折目線を越えて延設され、前記外フラップが前記包装箱の内方に向かって水平方向に折り曲げられたときに、該外フラップの側縁が突き当てられる延出部を有し、前記第２側板には、前記内フラップとの境界に、両端が前記第２折目線に接続されるとともに前記内フラップ側に向かって屈曲また湾曲した切れ目によって形成され、前記第２側体が前記包装箱の内方に向かって水平方向に折り曲げられたときに、該切れ目から遊離して該第２側板の端部から延出する凸部が設けられ、前記外フラップには、その側縁の一部を切り欠くことで形成され、該外フラップが前記包装箱の内方に向かって水平方向に折り曲げられたときに、前記凸部と嵌合する凹部が設けられていることを特徴とする。
【００１５】
本発明の第３の包装箱は、第１の包装箱の延出部と、第２の包装箱の凸部・凹部とを有するため、製函の際における外フラップの位置決めがより容易であるので、さらに成形性を向上させることができる。
【図面の簡単な説明】
【００１６】
【図１】本発明の実施形態の包装箱を示す斜視図。
【図２】本実施形態の包装箱の組立て前の展開した状態を示す説明図。
【図３】本実施形態の包装箱の組立工程を示す説明図であって、両フラップを折り曲げる前の斜視図。
【図４】本実施形態の包装箱の組立工程を示す説明図であって、内フラップを折り曲げたときの斜視図。
【図５】本実施形態の包装箱の組立工程を示す説明図であって、外フラップを折り曲げたときの斜視図。
【発明を実施するための形態】
【００１７】
本実施形態の包装箱１は、図１に示すように、八角筒状の胴部２と、該胴部２の上端開口を閉蓋する天部３と、該胴部２の下端開口を閉塞する底部４とによって形成される。なお、天部３及び底部４が本発明の閉塞部に相当する。
【００１８】
包装箱１は、図２に示すように、打抜き形成された段ボール板紙１０から組み立てられる。
【００１９】
段ボール板紙１０は、一対の第１側板２１と一対の第２側板２２とが夫々４枚の連結側板２３を介して交互に連設されている。具体的には、第１側板２１と連結側板２３とは胴部折目線ａを介して連設され、第２側板２２と連結側板２３とは胴部折目線ａを介して連設されている。また、左端の連結側板２３の端縁には、折目線ｃを介して接着片２３が連設されている。
【００２０】
各第１側板２１の上下の端縁には、第１折目線ｄを介して外フラップ３１が連設されている。また、各第２側板２２の上下の端縁には、第２折目線ｅを介して内フラップ３２が連設されている。
【００２１】
外フラップ３１は、胴部２を平面視した八角形を長手方向に沿って二等分した概略六角形状に形成されている。具体的には、第１折目線ｄから離れる方向に向かって、第１折目線ｄを同じ左右方向の長さを有する矩形状の基端部３１ａ、基端部３１ａの先端から約４５°で漸次幅広となる逆台形状のテーパー部３１ｂ、テーパー部３１ｂの先端から胴部折目線ａに沿って延びる略矩形状の幅広部３１ｃとからなる。
【００２２】
さらに、外フラップ３１の幅広部３１ｃの先端側隅部が側縁に沿ってＬ字状に切りかかれた切欠き７１が形成されている。
【００２３】
連結側板２３の上端部には、上端部を挟む第１折目線ｄ及び第２折目線ｅより上方まで延びる延出部５０が形成されている。延出部５０は、外フラップ３１の基端部３１ａとの境界に沿って延びる切れ目５１によって外フラップ３１と分離される。また、延出部５０の内フラップ３２側の端縁は、胴部折目線ａを超えるまで幅方向に延び、その後９０°屈曲して第２折目線ｅに接続されるＬ字状の切れ目５２によって、内フラップ３２と分離されている。
【００２４】
同様に、連結側板２３の下端部にも、同様な延出部５０が形成されている。
【００２５】
延出部５０の左右方向の長さは、テーパー部３１ｂの側縁の長さと概略一致している。
【００２６】
第２側板２２と内フラップ３２との境界には、中央に内フラップ３２に向かって突出する逆Ｕ字状の切れ目６１が形成され、切れ目６１の両端と隣接する切れ目５２，５２とを繋ぐ一対の第２折目線ｅ，ｅが形成されている。
【００２７】
切れ目６１の左右方向の長さは、切欠き７１の上下方向の２倍の長さと概略一致しており、第２折目線ｅの長さは、幅広部３１ｃの上下方向の長さから切欠き７１の上下方向の長さを減じた長さと概略一致している。
【００２８】
次に、段ボール板紙１０から包装箱１を組み立てる作業について説明する。
【００２９】
まず、第１側板２１、第２側板２２及び連結側板２３を、夫々胴部折目線ａ，ｂに沿って約１３５°で順次折り曲げ、次いで、接着片２３が第２側板２２の左端部に接着することにより、図３に示すように胴部２を形成する。
【００３０】
次いで、底部４を形成するが、本実施形態では底部４と天部３とは構成が同一であるため、以下では、天部３の形成工程を例に説明し、これと同一の工程である底部４の形成工程の説明は省略する。
【００３１】
まず、図４に示すように、各内フラップ３２を第２側板２２に対して直角となるように第２折目線ｅに沿って内方に折り曲げる。これにより、凸部６０が切れ目６１から遊離して第２側板２２の上端から延出する。同時に、後述する延出部５０の一方側縁も切れ目５２から遊離する。
【００３２】
次に、各外フラップ３１を第１側板２１に対して直角になるように第１折目線ｄに沿って内方に折り曲げて前記内フラップ３２の外表面に重合させる。これにより、延出部５０の他方端縁が切れ目５１から遊離して連結側板２３の上端縁から延出する。
【００３３】
以上により、天部３が形成され、胴部２の上端開口が閉塞される。なお、上述したとおり、天部３の形成に先立ち、この天部３の形成と同一の工程によって底部４を形成して、内容物を収容しておく。
【００３４】
以上説明した包装箱１によれば、外フラップ３１を折り曲げて内フラップ３２に重合させた際に、外フラップ３１のテーパー部３１ｂの側縁は、延出部５０の内表面に係止される。
【００３５】
また、両外フラップ３１の先端縁を突き合せることで、各幅広部３１ｃの切欠き７１が組み合わされることで、凹部７０が形成される。そして、この凹部７０は凸部６０に嵌入される。逆に言えば、幅広部３１ｃの切欠き７１よりも基端側の側縁部は、第２側板２２の上端縁に乗り上げて、延出部５０と凸部６０との間に嵌入する。
【００３６】
したがって、包装箱１では、外フラップ３１を延出部５０及び凸部６０で位置決めしながら組み立てることができるため、成形性が向上し、作業性が高まる。
【００３７】
また、外フラップ３１が延出部５０及び凸部６０で位置決めされるため、天部３及び底部４と胴部との間に隙間が空くことを低減することができる。
【００３８】
以下、本実施形態の変形例を説明する。
【００３９】
本実施形態では、段ボール製の包装箱１を例に説明したが、本発明はこれに限らず、厚紙等の紙製であってもよい。
【００４０】
本実施形態では、延出部５０と凸部６０との両方を有する包装箱を例に説明したが、延出部５０と凸部６０とは、一方だけ設けてもよい。なお、凸部６０を設けるためには、胴部は、四角形以上の多角筒状であればよい。他方、延出部５０を設けるためには、胴部は、五角形以上の多角筒状であればよい。そして、延出部５０のみを設ける場合には、内フラップは省略することもできる。
【００４１】
本実施形態では、天部３及び底部４の両方に延出部や凸部を有する包装箱１を例に説明したが、包装箱は、これらの一方に延出部や凸部があれば足りる。さらに、天部３は省略することもできる。
【００４２】
本実施形態では、一の第２側板２２の一方側縁に１個設けられた凸部６０に対して、一対の外フラップ３１にそれぞれ形成されたＬ字状に切りかかれた切欠き７１を組み合わせて１個の凹部７０を構成して嵌合させたが、例えば、一の第２側板２２の上端縁に２つの凸部を等間隔に設け、各外フラップ３１の幅広部３１ｃの側縁中央を倒Ｕ字状に切り欠いて凹部を形成し、各外フラップ３１がそれぞれ凸部に嵌合するようにすることもできる。
【００４３】
本実施形態では、連結側板の横幅よりも幅が大きい延出部５０を例に説明したが、本発明はこれに限られず、延出部の横幅は連結板の横幅以下であってもよい。
【符号の説明】
【００４４】
１    包装箱
２    胴部
２１  第１側板
２２  第２側板
２３  連結側板
３    天部（閉塞部）
３１  外フラップ
３２  内フラップ
４    底部（閉塞部）
５０  延出部
６０  凸部
６１  切れ目
７０  凹部
ｄ    第１折目線
ｅ    第２折目線
【図１】
2020172279.tif 000003
【図２】
2020172279.tif 000004
【図３】
2020172279.tif 000005
【図４】
2020172279.tif 000006
【図５】
2020172279.tif 000007